(57)【要約】      （修正有）【課題】天板の跳ね上げ姿勢において、幕板の下端部が脚体との接触により破損したり変形したりすることを抑制可能なフラップ天板付家具を提供する。【解決手段】脚体１Ａ，１Ｂと、天板２と、天板２の反使用端側に前後回動可能に懸吊され下端側両側部がリンクステー９２を介して前記脚体１Ａ，１Ｂにそれぞれ連結されてなる幕板６とを具備してなり、幕板６が、両脚体１Ａ，１Ｂ間の最小内法寸法ｓ４よりも小さな左右幅寸法ｓ５を有したものであり、跳ね上げ姿勢（Ｆ）において、幕板６が前記脚体１Ａ，１Ｂ間に前後回動可能に垂れ下がるとともに、リンクステー９２が側面視において幕板６と略平行になるように構成されている。【選択図】図４
2014079537.tif 000002
【特許請求の範囲】
【請求項１】
左右対をなす脚体と、これら脚体上に配され使用姿勢から跳ね上げ姿勢までの間でフラップ動作可能な天板と、この天板の反使用端側に前後回動可能に懸吊され下端側両側部がリンクステーを介して前記脚体にそれぞれ連結されてなる幕板とを具備してなり、
前記幕板が、前記両脚体間の最小内法寸法よりも小さな左右幅寸法を有したものであり、前記跳ね上げ姿勢において、前記幕板が前記脚体間に前後回動可能に垂れ下がるとともに、前記リンクステーが側面視において前記幕板と略平行になるように構成されていることを特徴とするフラップ天板付家具。
【請求項２】
前記幕板が、左右両端部における上縁近傍部分に第１の取付台座を有するとともに、左右両端部における下縁近傍部分に第２の取付台座を有したものであり、前記天板に固定された第１のリンクステーの先端部が前記第１の取付台座に枢着されているとともに、前記脚体に枢着された第２のリンクステーの先端部が前記第２の取付台座に枢着されている請求項１記載のフラップ天板付家具。
【請求項３】
前記各脚体が、支柱と、この支柱の下端部から使用端側に延設された後脚と、この後脚よりも内側に位置させて前記支柱の下端部から反使用端側に延設された前脚とを備え、前記天板を跳ね上げた状態で前記両脚体の後脚間に同一構造をなす他の家具の左右の前脚を侵入させてスタッキングさせ得るようにしたものであり、前記跳ね上げ姿勢において、前記幕板が前記前脚間に前後回動可能に垂れ下がるように構成されている請求項１または２記載のフラップ天板付家具。
【請求項４】
前記脚体が、キャスタを備えたものである請求項１、２または３記載のフラップ天板付家具。
【発明の詳細な説明】
【技術分野】
【０００１】
本発明は、幕板を備えたフラップ天板付家具に関するものである。
【背景技術】
【０００２】
従来、左右対をなす脚体と、これら脚体上に配され使用姿勢から跳ね上げ姿勢までの間でフラップ動作可能な天板と、この天板の反使用端側に前後回動可能に懸吊され下端側両側部がリンクステーを介して前記脚体にそれぞれ連結されてなる幕板とを具備してなるフラップテーブルが知られていた（例えば、特許文献１を参照）。
【０００３】
ところが、従来のものは、幕板の左右幅寸法が、反使用端側の左右の脚の離間距離とほぼ同じか、それよりも大きく設定してあるため、天板を跳ね上げ姿勢にフラップ動作させた際には、幕板の下端部が反使用端側の脚上に載るようにして折り畳まれていた。このように、幕板の下端側が脚上に当接するために、この幕板と脚体とを接続するリンクステーに無理な力がかかっていた。すなわち、脚体に対して回転可能に枢着されたリンクステーは、フラップ動作で天板を跳ね上げ姿勢に位置させ前記幕板の下端側が脚上に当接したところで、その回転範囲が規制され、それ以上後方に回転することができなくなっていた。
【０００４】
このような状態で、このフラップテーブル自体を動かしたり、外部から衝撃が加わったりすると、この脚体に当接する幕板の下端部が破損したり変形したりするおそれがあり、何らかの対策が望まれていた。
【先行技術文献】
【特許文献】
【０００５】
【特許文献１】特開平１１−１５５６４１号公報
【発明の概要】
【発明が解決しようとする課題】
【０００６】
本発明は、上述した事情に鑑み、天板の跳ね上げ姿勢において、幕板の下端部が脚体との接触により破損したり変形したりすることを抑制可能なフラップ天板付家具を提供することを目的とする。
【課題を解決するための手段】
【０００７】
本発明は、以上のような課題を解決するために、次のような構成を採用したものである。すなわち、本発明に係るフラップ天板付家具は、左右対をなす脚体と、これら脚体上に配され使用姿勢から跳ね上げ姿勢までの間でフラップ動作可能な天板と、この天板の反使用端側に前後回動可能に懸吊され下端側両側部がリンクステーを介して前記脚体にそれぞれ連結されてなる幕板とを具備してなり、前記幕板が、前記両脚体間の最小内法寸法よりも小さな左右幅寸法を有したものであり、前記跳ね上げ姿勢において、前記幕板が前記脚体間に前後回動可能に垂れ下がるとともに、前記リンクステーが側面視において前記幕板と略平行になるように構成されていることを特徴とする。
【０００８】
このようなものであれば、跳ね上げ姿勢において幕板を支持するリンクステーと幕板とが略平行になっており、従来のようにリンクステーによって幕板の位置が拘束されることがないため、フラップ天板付家具全体の動きに伴って幕板が前後方向に揺動することができる。したがって、前記跳ね上げ姿勢において、幕板の下端部が脚体との接触により損傷したり変形したりすることを抑制することができる。
【０００９】
前記幕板の具体的な一態様としては、左右両端部における上縁近傍部分に第１の取付台座を有するとともに、左右両端部における下縁近傍部分に第２の取付台座を有したものであり、前記天板に固定された第１のリンクステーの先端部が前記第１の取付台座に枢着されているとともに、前記脚体に枢着された第２のリンクステーの先端部が前記第２の取付台座に枢着されているものが挙げられる。
【００１０】
前記各脚体の好適な一態様としては、支柱と、この支柱の下端部から使用端側に延設された後脚と、この後脚よりも内側に位置させて前記支柱の下端部から反使用端側に延設された前脚とを備え、前記天板を跳ね上げた状態で前記両脚体の後脚間に同一構造をなす他の家具の左右の前脚を侵入させてスタッキングさせ得るようにしたものであり、前記跳ね上げ姿勢において、前記幕板が前記前脚間に前後回動可能に垂れ下がるように構成されているものが挙げられる。
【００１１】
また、前記脚体は、キャスタを備えたものが好ましい。
【発明の効果】
【００１２】
本発明は、以上のような構成であるから、天板の跳ね上げ姿勢において、幕板の下端部が脚体との接触により破損したり変形したりすることを抑制可能なフラップ天板付家具を提供することができる。
【図面の簡単な説明】
【００１３】
【図１】本発明の一実施形態にかかるフラップ天板付家具の外観図。
【図２】同実施形態にかかるフラップ天板付家具（使用姿勢）の左側面図。
【図３】同実施形態にかかるフラップ天板付家具（跳ね上げ姿勢）の左側面図。
【図４】同実施形態にかかるフラップ天板付家具（跳ね上げ姿勢）の正面図。
【図５】図４のＸ−Ｘ線断面図。
【図６】同実施形態にかかるフラップ天板付家具の分解斜視図。
【図７】同実施形態にかかるフラップ天板付家具の要部を拡大して示す分解斜視図。
【図８】図４のＹ部分を一部省略して示す図。
【図９】図４のＺ−Ｚ線拡大断面図。
【図１０】図４のＷ−Ｗ線断面で示す作用説明図。
【図１１】図４のＷ−Ｗ線断面で示す作用説明図。
【図１２】同実施形態にかかるフラップ天板付家具の中央側断面で示す作用説明図。
【図１３】同実施形態にかかるフラップ天板付家具の中央側断面で示す作用説明図。
【発明を実施するための形態】
【００１４】
以下、本発明の一実施形態について図面を参照して説明する。
【００１５】
この実施形態は、図１〜図１３に示すように、本発明をいわゆるフラップテーブルと称されるフラップ天板付家具Ｔに適用した場合のものである。
【００１６】
このフラップ天板付家具Ｔは、図１〜図１３に示すように、左右対をなす脚体１Ａ，１Ｂと、これら脚体１Ａ，１Ｂ上に配される天板２と、この天板２を前記各脚体１Ａ，１Ｂに使用姿勢（Ｕ）から跳ね上げ姿勢（Ｆ）までの間でフラップ動作し得るように支持させる左右対をなす天板支持機構３Ａ，３Ｂと、これら両天板支持機構３Ａ，３Ｂ同士を結合させる連結ビーム４と、前記天板２の使用端ｘ側の下方に配設された棚５と、前記天板２の反使用端ｙ側の下方に配設された幕板６を具備してなる。そして、前記左右の天板支持機構３Ａ，３Ｂと、これら天板支持機構３Ａ，３Ｂ同士を結合させる連結ビーム４とを主体としてプラットフォーム化の中核となるメカユニット７が構成されている。以下、前記各構成要素について詳述する。
【００１７】
＜脚体＞
前記左の脚体１Ａは、図１〜図９に示すように、支柱１１と、この支柱１１の下端部１１ａから使用端ｘ側に延設された後脚１２と、この後脚１２よりも内側に位置させて前記支柱１１の下端部１１ａから反使用端ｙ側に延設された前脚１３と、これら後脚１２及び前脚１３の先端に設けたキャスタ１４とを備えてなる。
【００１８】
前記支柱１１は、図１〜図９に示すように、例えばスチール製の角柱パイプ素材を所要長さに切断して作られるもので、その内部に下方からボルト１１１を装着可能な竪ネジ孔１１２を有する脚取付用ブロック１１３と、左右方向からボルト１１４を装着可能な横ネジ孔１１５及び位置決め孔１１６を有する軸プレート取付用ブロック１１７とが溶接等により固設されている。この支柱１１の上端には、合成樹脂製のキャップ１１８が帽着されている。なお、前記横ネジ孔１１５及び位置決め孔１１６は、この支柱１１の起立面である内側面１１９にそれぞれ開口させてある。
【００１９】
前記後脚１２は、図１〜図６に示すように、基端側に前記支柱１１の下端に嵌合する嵌合部１２１を有したもので、その嵌合部１２１を貫通して前記支柱１１の竪ネジ孔１１２に下側から螺合させたボルト１１１により該支柱１１に取着されている。この後脚１２の外側面１２２と前記支柱１１の外側面１１０とは略面一に連続させてあり、前記前脚１３は、これら支柱１１及び後脚１２よりも内側に偏位させて設けてある。
【００２０】
前記前脚１３は、図１〜図６に示すように、基端側外側面１３１を前記後脚１２の基端側内側面１２３に一体化させたもので、この前脚１３と前記後脚１２とは、例えばアルミニューム合金を材料にして一体に作られたダイキャスト製のものである。すなわち、この前脚１３は前記後脚１２の嵌合部１２１を介して前記支柱１１の下端部１１ａに取り付けられている。前記後脚１２及び前記前脚１３の各中間部分は下方に開放された中空体状をなしており、内部に図示しない補強用のリブを備えている。
【００２１】
前記右の脚体１Ｂは、図１、図４〜図６及び図１０〜図１３に示すように、以上説明した左の脚体１Ａと左右対称形状をなすものであり、同一又は対応する部分には同一の符号を付して説明を省略する。
【００２２】
前記左の脚体１Ａの後脚１２及び前記右の脚体１Ｂの後脚１２は、図４及び図５に示すように、後方に向って漸次その間隔が大きくなるように傾斜させてあるとともに、前記左の脚体１Ａの前脚１３及び前記右の脚体１Ｂの前脚１３は、前方に向って漸次その間隔が小さくなるように傾斜させてある。
【００２３】
上記の構成であるため、前記天板２を跳ね上げた状態で前記両脚体１Ａ，１Ｂの後脚１２，１２間に同一構造をなす他の家具Ｑの左右の前脚１３，１３を侵入させることによって、当該フラップ天板付家具Ｔの使用端ｘ側に、同一構造をなす他のフラップ天板付家具Ｑをスタッキングさせることができるようになっている。
【００２４】
＜天板＞
前記天板２は、図１〜図６及び図８〜図１３に示すように、左右方向に細長い長方形状をなすものであり、例えば通常の木製天板と同様な構成をなしている。この天板２の下面２１における左右両端部に天板受け取付用の埋設ナット２２が設けられている。そして、左右方向中央に天板たわみ防止部材８が取り付けられているとともに、前記天板２の下面２１における反使用端ｙ側に前記幕板６の支持部材である固定タイプのリンクステー９１が取り付けられている。
【００２５】
前記天板たわみ防止部材８は、図４、図６、図１２及び図１３に示すように、天板２の中央部が下方にたわむのを防止するためのもので、外縁に前記使用姿勢（Ｕ）において前記連結ビーム４に当接する当接面８２と、この当接面８２に連続し前記跳ね上げ姿勢（Ｆ）から使用姿勢（Ｕ）に至る動作領域において前記連結ビーム４の外周面４１に常時近接する対向面８４とを有する当接板８１を備えたものである。すなわち、この天板たわみ防止部材８は、同一形状をなす２枚の当接板８１間に取付部８３を設けたものであって、合成樹脂等により一体に成形されており、前記取付部８３に貫挿したボルト８５を天板２の下面２１に設けた埋設ナット２３に螺着させることによって前記天板２に止着されている。
【００２６】
前記固定タイプのリンクステー９１は、図１〜図６及び図８〜図１３に示すように、基端部９１１をボルト９１２を用いて天板２の下面２１に取り付けられたもので、その先端部９１３を後述する幕板６の取付台座６３に枢着してある。
【００２７】
＜天板支持機構＞
前記左の天板支持機構３Ａは、図１〜図１１に示すように、前記天板２の下面２１に略直交する２枚の平行な仮想隣接平面Ｐ１，Ｐ２間に、前記脚体１Ａに取り付けられる軸プレート３１と、この軸プレート３１に軸支持され上面で前記天板２を受ける天板受け３２と、この天板受け３２を前記使用姿勢（Ｕ）及び前記跳ね上げ姿勢（Ｆ）に選択的にロックするためのロック爪３３とを配してなるものである。すなわち、この天板支持機構３Ａ，３Ｂは、前記脚体１Ａ，１Ｂに取り付けられ上半にヘッド部３６を有した軸プレート３１と、この軸プレート３１のヘッド部３６に軸支持された天板受け３２と、この天板受け３２内に配設された天板ロック用のロック爪３３とを備えたものである。
【００２８】
前記軸プレート３１は、図１及び図４〜図１１に示すように、前記取付面３５１を有した取付部３５と、この取付部３５から上方に延出し前記天板受け３２を主軸３７を介して軸支持するヘッド部３６とを備えたものである。前記取付部３５は、外側に取付面３５１を有したもので、その取付面３５１を前記一方の仮想隣接平面Ｐ１に合致させている。すなわち、外側に位置する一方の仮想隣接平面Ｐ１に略合致させた前記軸プレート３１の取付面３５１を、前記脚体１Ａの起立面である内側面１１９に側方から当接させて、当該軸プレート３１を前記脚体１Ａに取り付けるようにしてある。
【００２９】
前記取付部３５は、図１及び図４〜図１１に示すように、前記支柱１１の横ネジ孔１１５に対応する複数の第１のボルト挿通孔３５２と、前記連結ビーム４の軸心に対応する第２のボルト挿通孔３５５とを備えている。第１のボルト挿通孔３５２は、内側からボルト１１４を挿通して当該軸プレート３１と脚体１Ａとを結合するためのもので、内方端にボルト１１４の頭部１１４ａを収容する座ぐり孔３５４を備えている。第２のボルト挿通孔３５５は、外側からボルト３５６を挿通して当該軸プレート３１と前記連結ビーム４の一端とを結合するためのもので、外方端にボルト３５６の頭部３５６ａを収容する座ぐり孔３５７を備えている。なお、この取付部３５の取付面３５１には、前記支柱１１の位置決め孔１１６に嵌合する位置決めピン３８が突設されている。
【００３０】
前記軸プレート３１のヘッド部３６は、図７〜図１１に示すように、前記使用姿勢（Ｕ）に達した天板２を前記天板受け３２を介して上端面３９１により受け止めるヘッド部本体３９と、このヘッド部本体３９の一側に設けられ前記ロック爪３３が選択的に係わり合う第１、第２の係止部３０１，３０２を有した爪受け３０とを備えている。すなわち、前記軸プレート３１のヘッド部３６は、前記使用姿勢（Ｕ）に達した天板２を上端面３９１により受け止めるヘッド部本体３９と、このヘッド部本体３９の一側に設けられ前記ロック爪３３と係わり合って前記天板２を使用姿勢（Ｕ）にロックする第１の係止部３０１及び前記ロック爪３３と係わり合って前記天板２を跳ね上げ姿勢（Ｆ）にロックする第２の係止部３０２を有する爪受け３０とを備えたものであり、前記爪受け３０の前記ロック爪３３に対面する側の端縁３０３を、前記ヘッド部本体３９の端縁３９２よりも奥に控えた位置に配している。
【００３１】
前記爪受け３０は、図７〜図１１に示すように、前記ヘッド部本体３９と一体に成形されたもので、前記ヘッド部本体３９の外側に配されている。すなわち、前記軸プレート３１は、アルミダイキャスト製のもので、前記ヘッド部本体３９及び前記爪受け３０からなるヘッド部３６と、前記取付部３５とは、一体に成形されている。
【００３２】
前記天板受け３２は、図１〜図４及び図６〜図１１に示すように、前記天板２の下面２１に取り付けられる上板３２１と、この上板３２１の両側縁から延出され前記ヘッド部３６の両側に位置する対をなす側板３２２，３２３とを備えたものである。
【００３３】
前記上板３２１は、図７〜図１１に示すように、天板２の下面２１に密着する平板状のもので、前記埋設ナット２２に螺着されるボルト３２８により天板２に取り付けられている。
【００３４】
前記側板３２２，３２３は、図１〜図４及び図６〜図１１に示すように、この上板３２１の両側縁から延出され前記ヘッド部３６の両側に位置するもので、一方の側板３２２の外側面３２４は、前記外側に位置する一方の仮想隣接平面Ｐ１の内側に近接させてある。前記天板受け３２の両側板３２２，３２３間の内法寸法ｓ１は、前記ヘッド部３６の厚み寸法ｓ２にフラップ動作を許容するためのクリアランス寸法ｓ３を加算した値に設定されている。また、前記支柱１１の上端部分１１ｂと前記軸プレート３１のヘッド部本体３９との間に、前記爪受け３０及び前記天板受け３２の一方の側板３２２を収容可能な隙間が形成されている。前記両側板３２２，３２３には、前記主軸３７が貫通する主軸用貫通孔３２５と、ロック爪３３を支持する駆動軸３３３が貫通するロック爪用貫通孔３２６とが設けられている。
【００３５】
前記ロック爪３３は、図７、図８、図１０及び図１１に示すように、例えば、先端側に屈曲部３３１を備えた鎌状のもので、基端部３３２に前記駆動軸３３３が一体回転可能に貫装されている。駆動軸３３３の外方端３３４は、一方の側板３３２から外側方に突出しており、その外方端３３４にロック解除用の操作レバー３３０が装着されている。このロック爪３３は、図示しないねじりコイルスプリング等により軸プレート３１の爪受け３０方向に回動付勢されており、使用姿勢（Ｕ）においては、このロック爪３３の屈曲部３３１が前記爪受け３０の第１の係止部３０１に係わり合い、跳ね上げ姿勢（Ｆ）においては、前記屈曲部３３１の先端が前記爪受け３０の第２の係止部３０２に係わり合うようになっている。
【００３６】
この天板支持機構３Ａは、前記ロック爪３３及び前記ヘッド部３６を隠ぺいするようにして前記天板受け３２に設けられたカバー３４を備えている。
【００３７】
カバー３４は、図１〜図４、図６、図７、図１０及び図１１に示すように、フラップ動作時に前記軸プレート３１との干渉を避けるための可動部３４１を備えている。なお、図８及び図９では、内部の機構を示すためカバー３４の図示を省略している。具体的には、このカバー３４は、前記天板受け３２における両側板３２２，３２３の外縁間に設けられフラップ動作時にいずれの部材とも干渉することのないカバー本体３４３と、このカバー本体３４３にヒンジ３４２を介して蝶着された可動部３４１とを備えたものである。
【００３８】
前記カバー本体３４３は、図３、図７、図１０及び図１１に示すように、前記両側板３２２，３２３の先端縁間に蓋着される帯板状のもので、両側縁に前記両側板３２２，３２３の内側面に当接する取付片３４４を備えている。取付片３４４は、側板３２２，３２３に添接する側の面に突起３４５を備えており、その突起３４５を部材の一時的な弾性変形を利用して前記側板３２２，３２３に設けた取付孔３２７に係わり合わせることができるようになっている。
【００３９】
前記可動部３４１は、図１〜図４、図７、図１０及び図１１に示すように、前記カバー本体３４３と略同一幅を有する板状のもので、一端が前記ヒンジ３４２を介して前記カバー本体３４３に回動自在に支持されており、図１１に示す跳ね上げ姿勢（Ｆ）において前記カバー本体３４３では隠しきれない余剰領域Ｒ１を隠ぺいするとともに、図１０に示す使用姿勢（Ｕ）で前記余剰領域Ｒ１から退避するように構成されている。
【００４０】
前記右の天板支持機構３Ｂは、図１、図４〜図６、図１２及び図１３に示すように、以上説明した左の天板支持機構３Ａと左右対称形状をなすものであり、同一又は対応する部分には同一の符号を付して説明を省略する。
【００４１】
＜連結ビーム＞
連結ビーム４は、図１、図４〜図９、図１２及び図１３に示すように、横断面円形をなすパイプ素材を所定長さに切断してなるビーム本体４２と、このビーム本体４２内の両端近傍部に剛結された固定ナット板４３とを備えたもので、前記固定ナット板４３の中心に前記ボルト３５６が螺着されるネジ孔４４が形成されている。そして、この連結ビーム４により前記左右の天板支持機構３Ａ，３Ｂ同士を結合させることにより、前記メカユニット７が構成されている。
【００４２】
＜メカユニット＞
メカユニット７は、図１〜図１３に示すように、左右に対をなす天板支持機構３Ａ，３Ｂと、これら天板支持機構３Ａ，３Ｂの軸プレート３１，３１同士を連結する前記連結ビーム４と、前記天板支持機構３Ａ，３Ｂの駆動軸３３３，３３３同士を連結する操作連動ビーム７１とを備えたものである。
【００４３】
前記軸プレート３１と前記連結ビーム４との結合は、連結ビーム４の端面を軸プレート３１の内側面に当接させ、軸プレート３１の外側面側から第２のボルト挿通孔３５５に挿入したボルト３５６を前記連結ビーム４のネジ孔４４に螺合させ緊締することにより行われる。前記ボルト３５６をネジ孔４４に締着した状態では、前記ボルト３５６の頭部３５６ａが前記軸プレート３１の座ぐり孔３５７に埋没するようになっている。
【００４４】
また、これら両天板支持機構３Ａ，３Ｂにおける軸プレート３１，３１の外側に形成された取付面３５１，３５１を左右に対をなす脚体１Ａ，１Ｂの内側に形成された起立面にそれぞれ取り付けている。すなわち、前記脚体１Ａ，１Ｂと前記軸プレート３１との結合は、脚体１Ａ，１Ｂの支柱１１に設けられた起立面である内側面１１９に軸プレート３１の取付部３５に形成された取付面３５１を添接させ、前記取付部３５に設けられた第１のボルト挿通孔３５２に挿入したボルト１１４を前記支柱１１のネジ孔４４に螺合させ緊締することにより行われる。なお、脚体１Ａ，１Ｂの支柱１１の起立面である内側面１１９に軸プレート３１の取付面３５１を添接させる際に、前記軸プレート３１に設けられた位置決めピン３８が前記支柱１１に設けられた位置決め孔１１６に嵌合し、軸プレート３１と支柱１１との位置決めがなされるようになっている。これによって、そのメカユニット７の外側に前記脚体１Ａ，１Ｂがそれぞれ配されることになる。
【００４５】
＜棚＞
前記棚５は、図１〜図４、図６及び図８〜図１３に示すように、左右対をなす側フレーム５１，５２と、これら側フレーム５１，５２間に架設される横架材５３とを備えたものである。前記側フレーム５１，５２はそれぞれ、基端部５１１，５２１を前記連結ビーム４に回動可能に支持させるとともに、先端部５１２，５２２を自由端タイプのリンクステー９３を介して前記天板２の使用端ｘ側、具体的には、天板受け３２の内側の側板３２３に支持させたもので、その内側面に前記横架材５３の端部を保持する保持孔５１３，５２３を備えている。側フレーム５１，５２の基端部５１１，５２１はそれぞれ、使用姿勢（Ｕ）において下方に開放された形態をなし、上側から前記連結ビーム４に対して着脱し得る形態をなしている。具体的には、前記棚５の側フレーム５１，５２の基端部５１１，５２１はそれぞれ、前記連結ビーム４に対して径方向から部材の一時的な弾性変形を利用して着脱し得る側面視Ｃ字形をなすものである。
【００４６】
＜幕板＞
前記幕板６は、図１〜図６及び図８〜図１３に示すように、中空板状をなす幕板本体６１と、この幕板本体６１の開口端に蓋着されたエンドカバー６２と、前記幕板本体６１にボルト６９，６０を介して取着されリンクステー９１，９２が取り付けられる取付台座６３，６４とを備えたものである。具体的には、前記幕板６は、左右両端部における上縁近傍部分６５に第１の取付台座６３を有するとともに、左右両端部における下縁近傍部分６６に第２の取付台座６４を有したものであり、前記天板２に固定された第１のリンクステー９１の先端部９１３が前記第１の取付台座６３に枢着されているとともに、前記脚体１Ａ，１Ｂに枢着された第２のリンクステー９２の先端部９２３が前記第２の取付台座６４に枢着されている。
【００４７】
すなわち、この幕板６は、上縁近傍部分６５を固定タイプの第１のリンクステー９１を介して前記天板２の反使用端ｙ側に支持させるとともに、下縁近傍部分６６を自由端タイプのリンクステー９２を介して前記脚体１Ａ，１Ｂ、具体的には、支柱１１の内側面１１９に支持させたものである。前記幕板６は、前記天板２の反使用端ｙ側に前後回動可能に懸吊され下端側両側部が第２のリンクステー９２を介して前記脚体１Ａ，１Ｂにそれぞれ連結されてなるものである。この幕板６は、前記両脚体１Ａ，１Ｂ間の最小内法寸法ｓ４、本実施形態においては、左右の前脚１３，１３間の最小離間距離よりも小さな左右幅寸法ｓ５を有したものであり、前記跳ね上げ姿勢（Ｆ）において、前記幕板６が前記脚体１Ａ，１Ｂ間に前後回動可能に垂れ下がるとともに、前記第２のリンクステー９２が側面視において前記幕板６と略平行になるように構成されている。本実施形態の幕板６は、前記跳ね上げ姿勢（Ｆ）において、前記前脚１３，１３間に前後回動可能に垂れ下がるように構成されているものである。そして、この幕板６は、左右の両前脚１３，１３間、より具体的には、両前脚１３，１３における前記幕板６の下端部に隣接する部分間の最小内法寸法ｓ４に収まる左右幅寸法ｓ５に設定されているとともに、天板２が起立した跳ね上げ姿勢（Ｆ）において幕板６が第２のリンクステー９２に拘束されることなく、すなわち、第２のリンクステー９２の基端部９２１が脚体１Ａ，１Ｂに対して前後両方向に回転動作可能な状態で、幕板６が前後方向に揺動可能となるように構成されている。
【００４８】
以上に述べたように、本実施形態にかかるフラップ天板付家具Ｔは、左右対をなす脚体１Ａ，１Ｂと、これら脚体１Ａ，１Ｂ上に配され使用姿勢（Ｕ）から跳ね上げ姿勢（Ｆ）までの間でフラップ動作可能な天板２と、この天板２の反使用端ｙ側に前後回動可能に懸吊され下端側両側部が第２のリンクステー９２を介して前記脚体１Ａ，１Ｂにそれぞれ連結されてなる幕板６とを具備してなり、前記幕板６が、前記両脚体１Ａ，１Ｂ間の最小内法寸法ｓ４よりも小さな左右幅寸法ｓ５を有したものであり、前記跳ね上げ姿勢（Ｆ）において、前記幕板６が前記脚体１Ａ，１Ｂ間に前後回動可能に垂れ下がるとともに、前記第２のリンクステー９２が側面視において前記幕板６と略平行になるように構成されている。そのため、跳ね上げ姿勢（Ｆ）において幕板６を支持する第２のリンクステー９２と幕板６とが略平行になっており、従来のようにリンクステーによって幕板の位置が拘束されることがないため、このフラップ天板付家具Ｔ自体を動かしたり、外部から衝撃が加わったりしたときであっても、第２のリンクステー９２に負荷がかかることなく、フラップ天板付家具Ｔ全体の動きに伴って幕板６が前後方向に揺動し得る。したがって、前記跳ね上げ姿勢（Ｆ）において、幕板６の下端部が脚体１Ａ，１Ｂとの接触により損傷したり変形したりすることを抑制することができる。また、そもそも、幕板６が左右の脚体１Ａ，１Ｂ間に入り込んだ状態となっているため、このフラップ天板付家具Ｔを動かした際に幕板６を他のものに衝突させてしまったり、他から幕板６に衝撃が加わったりすることも少ないため、幕板６の破損や変形を少なくすることができる。
【００４９】
本実施形態の幕板６は、左右両端部における上縁近傍部分６５に第１の取付台座６３を有するとともに、左右両端部における下縁近傍部分６６に第２の取付台座６４を有したものであり、前記天板２に固定された第１のリンクステー９１の先端部９１３が前記第１の取付台座６３に枢着されているとともに、前記脚体１Ａ，１Ｂに枢着された第２のリンクステー９２の先端部９２３が前記第２の取付台座６４に枢着されているので、比較的簡単な構成で幕板６を前後方向に揺動可能に吊り下げることができる。換言すれば、幕板６の上下に、それぞれ前後方向に回転動作可能な第１のリンクステー９１及び第２のリンクステー９２が取り付けられているため、重力によって略垂直方向に垂れ下がった幕板６と、この幕板６の下端部に取り付けられ先端部９２３側が重力によって略垂直方向に垂れ下がっている第２のリンクステー９２とを略平行にすることができる。
【００５０】
また、左右の各脚体１Ａ，１Ｂが、支柱１１と、この支柱１１の下端部１１ａから使用端ｘ側に延設された後脚１２と、この後脚１２よりも内側に位置させて前記支柱１１の下端部１１ａから反使用端ｙ側に延設された前脚１３とを備え、前記天板２を跳ね上げた状態で前記両脚体１Ａ，１Ｂの後脚１２，１２間に同一構造をなす他の家具Ｑの左右の前脚１３，１３を侵入させてスタッキングさせ得るようにしたものであり、前記跳ね上げ姿勢（Ｆ）において、前記幕板６が前記前脚１３，１３間に前後回動可能に垂れ下がるように構成されている。そのため、他のフラップ天板付家具Ｑを一方のフラップ天板付家具Ｐに水平スタッキングさせるべく動かす際、一方のフラップ天板付家具Ｐの幕板６に他方のフラップ天板付家具Ｑの前脚１３，１３がぶつかってしまった場合でも、一方のフラップ天板付家具Ｐの幕板６が前後方向に揺動するので、この幕板６が破損したり変形したりすることを抑制することができる。
【００５１】
特に、本実施形態の脚体１Ａ，１Ｂは、キャスタ１４を備えたものであるので、フラップ天板付家具Ｔを動かす際に、使用者の予想以上に動いてしまうことがある。そのため、本実施形態のように幕板６を上述のように構成したものであれば、幕板６が他のフラップ天板付家具Ｑの脚体１Ａ，１Ｂやその他の家具の脚等にぶつかってしまった場合に、幕板６が前後方向に揺動するため、当該フラップ天板付家具Ｔの幕板６の破損や変形を防止することができる。
【００５２】
なお、本発明は以上に述べた実施形態に限られない。
【００５３】
本発明の脚体は、上述した実施形態のものには限られない。例えば、上述した実施形態のような側面視逆Ｙ字状をなす脚体の他に、支柱とこの支柱の下端部から使用端側及び反使用端側にそれぞれ延設された前脚及び後脚とを備えた側面視逆Ｔ字状をなす脚体や、支柱とこの支柱の下端部から反使用端側に延設された脚ベースとを備えた側面視Ｌ字状をなす脚体の他、種々変更可能である。また、同一構造をなす他の家具をスタッキング可能なものだけでなく、スタッキングができない構造を有する脚体であってもよい。
【００５４】
また、本発明のフラップ天板付家具は、移動可能なものには限られず、上述したキャスタを備えないものであってもよい。
【００５５】
その他、本発明の趣旨を損ねない範囲で種々に変更してよい。
【符号の説明】
【００５６】
１Ａ，１Ｂ…脚体
２…天板
ｘ…使用端
ｙ…反使用端
（Ｕ）…使用姿勢
（Ｆ）…跳ね上げ姿勢
１１…支柱
１１ａ…下端部
１２…後脚
１３…前脚
１４…キャスタ
６…幕板
６３…第１の取付台座
６４…第２の取付台座
６５…上縁近傍部分
６６…下縁近傍部分
９１，９２…リンクステー
９１３…先端部
９２３…先端部
ｓ４…最小内法寸法
ｓ５…左右幅寸法
Ｑ…他の家具
【図１】
2014079537.tif 000003
【図２】
2014079537.tif 000004
【図３】
2014079537.tif 000005
【図４】
2014079537.tif 000006
【図５】
2014079537.tif 000007
【図６】
2014079537.tif 000008
【図７】
2014079537.tif 000009
【図８】
2014079537.tif 000010
【図９】
2014079537.tif 000011
【図１０】
2014079537.tif 000012
【図１１】
2014079537.tif 000013
【図１２】
2014079537.tif 000014
【図１３】
2014079537.tif 000015